(57)【要約】【課題】単一指向性マイクロホンユニットの金属メッシュで覆われている後方音響端子における電磁シールドを確実にする。【解決手段】前面に前方音響端子２１を有し側面に後方音響端子２２を備えている金属製で円筒状のユニットケース２０内に、振動板と固定極とをスペーサ部材を介して対向的に配置してなる音響電気変換器３０が内蔵されている単一指向性のマイクロホンユニット１０Ａを含み、ユニットケース２０内に後方音響端子２２をその内側から覆う金属メッシュ４０が設けられているコンデンサマイクロホンにおいて、ユニットケース２０内に、金属メッシュ４０をユニットケース２０の内壁面に向けて押圧するコイルバネ５０を設ける。【選択図】図１
2008166909.tif 000002
【特許請求の範囲】
【請求項１】
前面に前方音響端子を有し側面に後方音響端子を備えている金属製で円筒状のユニットケース内に、振動板と固定極とをスペーサ部材を介して対向的に配置してなる音響電気変換器が内蔵されている単一指向性のマイクロホンユニットを含み、上記ユニットケース内に上記後方音響端子をその内側から覆う金属メッシュが設けられているコンデンサマイクロホンにおいて、
上記ユニットケース内に、上記金属メッシュを上記ユニットケースの内壁面に向けて押圧するコイルバネが設けられていることを特徴とするコンデンサマイクロホン。
【請求項２】
上記コイルバネに金めっきが施されていることを特徴とする請求項１に記載のコンデンサマイクロホン。
【発明の詳細な説明】
【技術分野】
【０００１】
本発明は、コンデンサマイクロホンに関し、さらに詳しく言えば、外乱電磁波などによる雑音の発生を防止する技術に関するものである。
【背景技術】
【０００２】
まず図２に、コンデンサマイクロホンが備えるマイクロホンユニットの一般的な構成例を断面図として示す。このマイクロホンユニット１０Ｂは単一指向性であり、この例においては、図示しないマイクロホン本体に対して着脱（交換）可能である例えばタイピン型もしくはグースネック型マイクロホンなどに適用されるマイクロホンユニットとして示されている。
【０００３】
このマイクロホンユニット１０Ｂは、例えば黄銅合金からなる円筒状のユニットケース２０を備え、ユニットケース２０内には、よく知られているように振動板と固定極とをスペーサリング（いずれも図示省略）を介して対向的に配置してなり、到来する音波を電気信号に変換する静電型の音響電気変換器３０が収納されている。
【０００４】
単一指向性であることから、ユニットケース２０には、前面の前方音響端子（音源に向けられる前方の音波導入口）２１のほかに、その側面側に速度成分を取り入れる後方音響端子（後方の音波導入口）２２が設けられている。
【０００５】
通常、ユニットケース２０内には、後方音響端子２２をその内側から覆う金属メッシュ４０が設けられている。この金属メッシュ４０は、後方音響端子２２からユニットケース２０内への異物の入り込みを阻止するために設けられ、それ自体のバネ性でユニットケース２０の内壁面に接触するが、振動などで外れないように接着材で固定される（例えば、特許文献１，２参照）。
【０００６】
なお、前方音響端子２１の内面側にも、同様に異物の侵入阻止の目的で金属メッシュが設けられるが、ここではその図示が省略されている。
【０００７】
音響電気変換器３０からは上記固定極に接続されている信号引出電極３１が引き出されており、マイクロホンユニット１０Ｂを上記マイクロホン本体に連結するに伴って、信号引出電極３１がマイクロホン本体内の図示しない音声出力回路と接続されるが、音響電気変換器３０はきわめてインピーダンスが高いことから、上記音声出力回路の入力側にはインピーダンス変換器が設けられている。
【０００８】
希にインピーダンス変換器として真空管が用いられることもあるが、多くの場合、インピーダンス変換器にはＦＥＴ（電界効果トランジスタ）が用いられ、信号引出電極３１はＦＥＴのゲート電極に接続され、上記音声出力回路はＦＥＴのソース−ドレイン間に接続されている。
【０００９】
この種のインピーダンス変換器は検波素子としても作用するため、マイクロホンユニット１０Ｂに外乱として例えば電磁波による高周波電流が加わると、それがインピーダンス変換器により検波されて可聴周波数の雑音が発生する。この種の雑音は、マイクロホンユニット１０Ｂの電磁的シールドが確実である場合にはほとんど発生しない。
【００１０】
前方音響端子２１には、これに対向して振動板が配置され、振動板に形成されている金属層が金属製の支持リング（ダイアフラムリング）を介して接地であるユニットケース２０と接続されるため、前方音響端子２１から入り込む電磁波は余り問題とならない。
【００１１】
【特許文献１】特開昭５５−１０５４９２号公報
【特許文献２】特開昭５６−４３９８５号公報
【発明の開示】
【発明が解決しようとする課題】
【００１２】
しかしながら、後方音響端子２２について言えば、それを内側から覆う金属メッシュ４０とユニットケース２０の内壁面との接触が、上記したように金属メッシュ４０自体のバネ性だけに依存し、接点面積が小さく必ずしもシールド性が十分とは言えない。
【００１３】
近年、携帯電話機が急速に普及しているが、携帯電話機からはかなり強い電磁波（例えば、数ｃｍ〜数１０ｃｍ程度の範囲内では商用電波により市中で生じている電界強度の数万倍に達する電界強度）が放射される。
【００１４】
そのため、マイクロホンの近傍で携帯電話機が使用されると、金属メッシュ４０とユニットケース２０との接触が不十分であることから、その接触部分が高周波的に大きなインピーダンスを持ち、それによる高周波電流がマイクロホン本体内に入り込み、大きな雑音が発生することがある。
【００１５】
また、接触状態も個々に異なるため、高周波電流による雑音の発生具合にもばらつきが生ずる。また、音響特性をよくするために後方音響端子２２の開口を大きくすると、さらに高周波電流が入り込みやすくなる。
【００１６】
したがって、本発明の課題は、単一指向性マイクロホンユニットの金属メッシュで覆われている後方音響端子における電磁シールドを確実にすることにある。
【課題を解決するための手段】
【００１７】
上記課題を解決するため、請求項１に記載の発明は、前面に前方音響端子を有し側面に後方音響端子を備えている金属製で円筒状のユニットケース内に、振動板と固定極とをスペーサ部材を介して対向的に配置してなる音響電気変換器が内蔵されている単一指向性のマイクロホンユニットを含み、上記ユニットケース内に上記後方音響端子をその内側から覆う金属メッシュが設けられているコンデンサマイクロホンにおいて、上記ユニットケース内に、上記金属メッシュを上記ユニットケースの内壁面に向けて押圧するコイルバネが設けられていることを特徴としている。
【００１８】
請求項２に記載の発明は、請求項１のコンデンサマイクロホンにおいて、上記コイルバネに金めっきが施されていることを特徴としている。
【発明の効果】
【００１９】
請求項１に記載の発明によれば、後方音響端子をその内側から覆う金属メッシュをコイルバネによりユニットケースの内壁面に向けて押圧するようにしたことにより、ユニットケースに対して金属メッシュが数多くの点で接触するため、確実な電磁シールドが得られる。また、金属メッシュを接着材で固定する必要もなくなる。
【００２０】
請求項２に記載の発明によれば、コイルバネに金めっきを施すことにより、コイルバネと金属メッシュとの接触抵抗がきわめて低くなり、その接触部分が高周波的にもインピーダンスを持たない。
【発明を実施するための最良の形態】
【００２１】
次に、図１により本発明の実施形態について説明するが、本発明はこれに限定されるものではない。図１は本発明が備えるマイクロホンユニットを示す断面図である。なお、この実施形態の説明において、先の図２で説明した従来例と同一の構成要素には同じ参照符号を用いる。
【００２２】
図１に示すように、このマイクロホンユニット１０Ａにおいても、先の図２で説明した従来例と同じく、例えば黄銅合金からなる円筒状のユニットケース２０を備え、ユニットケース２０内には、よく知られているように振動板と固定極とをスペーサリング（いずれも図示省略）を介して対向的に配置してなり、到来する音波を電気信号に変換する静電型の音響電気変換器３０が収納されている。
【００２３】
このマイクロホンユニット１０Ａは単一指向性であるため、ユニットケース２０には、前面の前方音響端子（音源に向けられる前方の音波導入口）２１のほかに、その側面側に速度成分を取り入れる後方音響端子（後方の音波導入口）２２が設けられている。後方音響端子２２からの音波は静電型の音響電気変換器３０内の所定の経路を通って振動板の裏面側に作用する。
【００２４】
このマイクロホンユニット１０Ａは、図示しないマイクロホン本体に対して着脱（交換）可能であり、音響電気変換器３０から引き出されている信号引出電極３１は、上記マイクロホン本体側に設けられているインピーダンス変換器としてのＦＥＴのゲート端子に接続される。
【００２５】
ユニットケース２０内には、後方音響端子２２からユニットケース２０内への異物の入り込みを阻止するため、後方音響端子２２をその内側から覆う金属メッシュ４０が設けられている。なお、前方音響端子２１の内面側にも、同様に異物の侵入阻止の目的で金属メッシュが設けられるが、ここではその図示が省略されている。
【００２６】
金属メッシュ４０は、図示しない金網母材からユニットケース２０の内周長に相当する長さで短冊状に切り出され、円筒状の丸めた状態でユニットケース２０内に挿入され、それ自体のバネ性でユニットケース２０の内壁面に接触するが、その接触は上記したように金属メッシュ４０自体のバネ性だけに依存し、接点面積が小さく必ずしもシールド性が十分とは言えない。
【００２７】
そこで、本発明では、ユニットケース２０内にコイルバネ５０を押し込み、金属メッシュ４０をユニットケース２０の内壁面に強く押し付けることにより、ユニットケース２０に対して金属メッシュ４０を数多くの点で接触させて電磁シールド性を高めるようにしている。
【００２８】
コイルバネ５０には、外径がユニットケース２０の内径よりも若干大きな圧縮コイルバネを用い、その圧縮コイルバネを好ましくは回しながらユニットケース２０内に同軸的に圧入する（強制的に挿入する）。
【００２９】
これによれば、金属メッシュ４０がユニットケース２０に対して強く押し付けられ、数多くの点で接触するため、電磁シールドが確実になる。また、コイルバネ５０の応力が安定しているため、個体差がでない。また、金属メッシュ４０を固定するための接着材も不要となる。
【００３０】
好ましくは、コイルバネ５０に金っきを施すことにより、コイルバネと金属メッシュとの接触抵抗がきわめて低くなり、その接触部分が高周波的にもインピーダンスを持たなくなるため、電磁波による雑音発生をより効果的に防止することができる。
【００３１】
なお、上記実施形態では、マイクロホンユニット１０Ａがマイクロホン本体に対して着脱可能となっているが、マイクロホンユニット１０Ａはマイクロホン本体と一体であってもよい。
【図面の簡単な説明】
【００３２】
【図１】本発明のコンデンサマイクロホンが備えるマイクロホンユニットを示す断面図。
【図２】従来のマイクロホンユニットを示す断面図。
【符号の説明】
【００３３】
１０Ａ  マイクロホンユニット
２０  ユニットケース
２１  前方音響端子
２２  後方音響端子
３０  音響電気変換器
４０  金属メッシュ
５０  コイルバネ
【図１】
2008166909.tif 000003
【図２】
2008166909.tif 000004